(57)【特許請求の範囲】
【請求項１】
その外周面に記録材料を装着するための記録ドラムと、
前記記録ドラムの外周面に装着される記録材料の先端を前記記録ドラムの外周面に固定するための先端クランプと、
前記記録ドラムの外周面に装着される記録材料の後端を、前記記録ドラムの外周面に固定するための、前記記録ドラムの円周方向に形成された凹部に沿って移動可能な後端クランプとを備え、
前記記録材料は、その前記記録ドラムの軸芯方向の端縁が前記凹部上に突出するように前記記録ドラムの外周面に装着される画像記録装置において、
前記後端クランプは、前記記録材料の表面と接触することにより前記記録材料を前記記録ドラムの外周面に押圧固定するための弾性部材を有し、
前記弾性部材は、記録材料を押圧固定するときに、前記凹部上において記録材料に接触可能な一対の突出部を有し、
前記後端クランプは、前記記録ドラムの外周面に装着される記録材料の剛性に応じて、前記後端クランプによる記録材料の咥え代を変更することにより、記録材料の剛性が大きなときには、前記一対の突出部の両方が記録材料と接触する位置に配置され、記録材料の剛性が小さなときには、前記一対の突出部のうちの一方が記録材料と接触する位置に配置されることを特徴とする画像記録装置。
【請求項２】
請求項１に記載の画像記録装置において、
前記一対の突出部は、前記記録ドラムの円周方向に所定距離だけ離隔して配置される画像記録装置。
【請求項３】
請求項１または請求項２に記載の画像記録装置において、
前記後端クランプを、前記凹部に沿って、前記記録ドラムに対して移動させた状態で当該記録ドラムに取り付けるクランプユニットを備え、
このクランプユニットが、前記後端クランプの前記記録ドラムに対する取り付け位置を変更することにより、前記記録ドラムの外周面に装着される記録材料の剛性に応じて、前記後端クランプによる記録材料の咥え代を変更する画像記録装置。
【発明の詳細な説明】
【技術分野】
【０００１】
この発明は、その外周面に記録材料を装着した記録ドラムを回転させて画像の記録を行う画像記録装置に関する。
【背景技術】
【０００２】
このような画像記録装置においては、記録ドラムの外周部に装着されるべき記録材料は、記録材料の先端を記録ドラムの外周面に固定するための先端クランプと、記録材料の後端を記録ドラムの外周面に固定するための後端クランプとにより、記録ドラムの外周面に固定される。
【０００３】
一方、このような画像記録装置においては、種々のサイズの記録材料を記録ドラムの外周面に装着する必要がある。このため、後端クランプは、記録ドラムの円周方向に形成された凹部に沿って移動可能に構成されており、記録ドラムの外周面に装着すべき記録材料の長さに応じてその位置が変更可能となっている。
【０００４】
ところで、このような画像記録装置においては、記録ドラムの外周面に装着される記録材料のサイズによっては、記録材料における記録ドラムの軸芯方向の端縁が、記録ドラムの円周方向に形成された凹部の上方に配置される場合がある。このような場合には、後端クランプによる記録材料への押圧力を適切なものとしないと、記録材料の端縁が記録ドラムの回転による遠心力により記録ドラムの表面より上方に浮き上がり、あるいは、記録材料の端縁が押圧力に負けて凹部内に沈み込むという現象が生ずる。このような現象が発生した場合には、記録材料に照射されるレーザビーム等が記録材料の表面において焦点を結ばず、適切な画像の記録が実行し得ないことになる。
【０００５】
このため、特許文献１に記載の画像記録装置においては、後端クランプにおけるクランプゴムの位置を、適正な位置となるように調整している（特許文献１参照）。
【特許文献１】特許第３５９５２２９号
【発明の開示】
【発明が解決しようとする課題】
【０００６】
記録ドラムの外周面に装着すべき記録材料の剛性は、記録材料の種類に応じて異なる。また、記録ドラムの円周方向に形成された凹部の上方に配置される記録材料の長さによっても、後端クランプによる記録材料への押圧力をその長さに応じた適切なものとしないと、記録材料の端縁が記録ドラムの回転による遠心力により記録ドラムの表面より上方に浮き上がり、あるいは、記録材料の端縁が押圧力に負けて凹部内に沈み込むという現象が生ずる。特許文献１に記載の画像記録装置においては、このような問題点を解決することは困難である。
【０００７】
この発明は上記課題を解決するためになされたものであり、記録材料の剛性やサイズにかかわらず、正確に画像を記録することが可能な画像記録装置を提供することを目的とする。
【課題を解決するための手段】
【０００８】
請求項１に記載の発明は、その外周面に記録材料を装着するための記録ドラムと、前記記録ドラムの外周面に装着される記録材料の先端を前記記録ドラムの外周面に固定するための先端クランプと、前記記録ドラムの外周面に装着される記録材料の後端を、前記記録ドラムの外周面に固定するための、前記記録ドラムの円周方向に形成された凹部に沿って移動可能な後端クランプとを備え、前記記録材料は、その前記記録ドラムの軸芯方向の端縁が前記凹部上に突出するように前記記録ドラムの外周面に装着される画像記録装置において、前記後端クランプは、前記記録材料の表面と接触することにより前記記録材料を前記記録ドラムの外周面に押圧固定するための弾性部材を有し、前記弾性部材は、記録材料を押圧固定するときに、前記凹部上において記録材料に接触可能な一対の突出部を有し、前記後端クランプは、前記記録ドラムの外周面に装着される記録材料の剛性に応じて、前記後端クランプによる記録材料の咥え代を変更することにより、記録材料の剛性が大きなときには、前記一対の突出部の両方が記録材料と接触する位置に配置され、記録材料の剛性が小さなときには、前記一対の突出部のうちの一方が記録材料と接触する位置に配置されることを特徴とする。
【０００９】
請求項２に記載の発明は、請求項１に記載の発明において、前記一対の突出部は、前記記録ドラムの円周方向に所定距離だけ離隔して配置される。
【００１０】
請求項３に記載の発明は、請求項１または請求項２に記載の発明において、前記後端クランプを、前記凹部に沿って、前記記録ドラムに対して移動させた状態で当該記録ドラムに取り付けるクランプユニットを備え、このクランプユニットが、前記後端クランプの前記記録ドラムに対する取り付け位置を変更することにより、前記記録ドラムの外周面に装着される記録材料の剛性に応じて、前記後端クランプによる記録材料の咥え代を変更する。
【発明の効果】
【００１１】
請求項１乃至請求項３に記載の発明によれば、記録材料の剛性にかかわらず、正確に画像を記録することが可能となる。
【００１２】
また、後端クランプによる咥え位置の変化により、後端クランプと記録材料との接触面積を容易に変更することが可能となる。
【００１３】
請求項２に記載の発明によれば、後端クランプの位置に多少の誤差があったとしても、接触面積を一定とすることが可能となる。
【発明を実施するための最良の形態】
【００１４】
以下、この発明の実施の形態を図面に基づいて説明する。図１は、この発明に係る画像記録装置の側面概要図である。
【００１５】
この画像記録装置は、その外周部に記録材料としての刷版Ｐを装着した状態で、モータ２５の駆動により図１に示す矢印Ａ方向に回転する記録ドラム１１と、この記録ドラム１１の回転角度位置を検出するためのロータリエンコーダ２６と、記録ドラム１１に装着された刷版Ｐに対して画像を記録する記録ヘッド１２と、記録ドラム１１に対して刷版Ｐを搬入し、あるいは、記録ドラム１１から刷版Ｐを排出する搬送ユニット１３と、搬送ユニット１３から記録ドラム１１に向けて搬送される刷版Ｐに対して位置決め孔を穿孔するパンチユニット１４と、記録ドラム１１の外周部に配設された先端クランプ１５および後端クランプ１６を開閉し、後端クランプ１６を記録ドラム１１の外周部に沿って移動させるためのクランプユニット１７と、制御部２０と、入力部２１と、所定のデータを記憶したテーブル２２とを備える。記録ドラム１１の外周部には位置決め孔に嵌合することで、刷版Ｐの先端位置を決める位置決めピン（図示せず）が立設されている。
【００１６】
記録ドラム１１と対向配置された記録ヘッド１２は、図示しない多数のレーザダイオードを備える。この記録ヘッド１２は、記録ドラム１１の回転に同期して記録ドラム１１の軸線方向（図１における紙面に垂直な方向）に移動しつつ、制御部２０から出力される画像信号に応じてレーザ光を照射することにより、記録ドラム１１の外周部に装着された刷版Ｐに２次元画像を記録する。
【００１７】
また、記録ドラム１１の上方に配設された搬送ユニット１３は、図１において矢印Ｂで示すように、傾斜可能な構成を有し、その内部に刷版Ｐの記録ドラム１１への搬入用の搬送路１８と、刷版Ｐの排出用の搬送路１９とを備える。
【００１８】
クランプユニット１７は、図１において矢印Ｃで示すように揺動可能な構成を有し、その先端には、先端クランプ１５を開閉するための先端クランプ押圧部２３と、後端クランプ１６を取り付けるための後端クランプ取り付け部２４とが付設されている。なお、記録ドラム１１の外周部に配設された後端クランプ１６は、後述するように、記録ドラム１１の外周部に形成されたクランプ溝３０に沿って移動可能となっている。後端クランプ取り付け部２４は、この後端クランプ１６の移動動作も実行する。
【００１９】
図２は、記録ドラム１１を、先端クランプ１５および後端クランプ１６とともに示す斜視図である。
【００２０】
記録ドラム１１には、１４本の溝状の凹部から成るクランプ溝３０が、その円周方向に形成されている。先端クランプ１５は、各クランプ溝３０に対応する位置に１４個配設されている。一方、後端クランプ１６は、一対のクランプ溝３０に亘り７個配設されている。この後端クランプ１６は、クランプ溝３０に沿って、記録ドラム１１の円周方向の位置を変更することが可能となっている。なお、後端クランプ１６は、記録ドラム１１に装着すべき刷版Ｐのサイズに応じて、必要な数だけ記録ドラム１１の外周部に装着される。
【００２１】
図３は、記録ドラム１１の外周面の展開図である。
【００２２】
この図に示すように、この記録ドラム１１には、３０ａ乃至３０ｎの１４本のクランプ溝（これらを総称する場合には、単に「クランプ溝３０」という）が形成されている。後端クランプ１６は、クランプ溝３０ａとクランプ溝３０ｂ、クランプ溝３０ｃとクランプ溝３０ｄ、クランプ溝３０ｅとクランプ溝３０ｆ、クランプ溝３０ｇとクランプ溝３０ｈ、クランプ溝３０ｉとクランプ溝３０ｊ、クランプ溝３０ｋとクランプ溝３０ｌ、クランプ溝３０ｍとクランプ溝３０ｎを利用して、各々、記録ドラム１１の外周面に固定される。
【００２３】
この記録ドラム１１は、一枚の刷版Ｐのみが装着される一枚巻きと、二枚の刷版Ｐが装着される二枚巻きの両方に対応している。一枚巻きの場合には、刷版Ｐは記録ドラム１１の軸芯方向の中心線Ｙを中心に左右対称に振り分けられ、記録ドラム１１の外周面に装着される。二枚巻きの場合には、各刷版Ｐは、記録ドラム１１の左半分の中心線Ｘおよび右半分の中心線Ｚを中心に、各々、左右対称に振り分けられ、記録ドラム１１の外周面に装着される。
【００２４】
なお、記録ドラム１１にはさまざまな剛性を持った刷版Ｐが装着される。すなわち、刷版Ｐは厚みや材質の差異によってその剛性が異なってくる。この画像記録装置では、所定値以上の剛性を有するか否かで刷版Ｐを２カテゴリーに分類して管理している。すなわち、所定値以上の剛性を有する刷版を「厚版」、所定値未満の剛性を有する刷版を「薄版」として管理している。この「厚版」の刷版Ｐは、おおむね一枚巻きの刷版Ｐと対応する。また、「薄版」の刷版Ｐは、おおむね二枚巻きの刷版Ｐと対応する。
【００２５】
但し、刷版Ｐの剛性の程度をさらに細かく分類して管理してもよい。また、一枚巻き用の刷版Ｐであっても所定値未満の剛性しか有さないものは「薄版」に分類してもよく、また、二枚巻き用の刷版Ｐであっても所定値以上の剛性を有するものは「厚版」に分類してもよい。
【００２６】
なお、図３においては、一枚巻きのときの最小幅サイズの刷版をＰ１、中間サイズの刷版をＰ２、最大サイズの刷版をＰ３で示している。また、同様に、二枚巻きのときの記録ドラム１１の左半分に装着される代表的なサイズの刷版をＰ１１、Ｐ１２、Ｐ１３で、また、二枚巻きのときの記録ドラム１１の右半分に装着される代表的なサイズの刷版をＰ２１、Ｐ２２、Ｐ２３で示している。Ｐ１１とＰ２１は二枚巻きのときの最小幅サイズ、Ｐ１３とＰとＰ２３は最大幅サイズ、Ｐ１２とＰ２２は中間サイズである。
【００２７】
この記録ドラム１１においては、クランプ溝３０ａ乃至３０ｎは、中心線Ｙを中心に左右対称に振り分けられている。すなわち、クランプ溝３０ａとクランプ溝３０ｎ、クランプ溝３０ｂとクランプ溝３０ｍ、クランプ溝３０ｃとクランプ溝３０１、クランプ溝３０ｄとクランプ溝３０ｋ、クランプ溝３０ｅとクランプ溝３０ｊ、クランプ溝３０ｆとクランプ溝３０ｉ、クランプ溝３０ｇとクランプ溝３０ｈは、それぞれ中心線Ｙを中心に左右対称の位置関係にある。一方、左右の分割領域の中心線ＸおよびＺに関しては、各クランプ溝３０は左右対称でない。
【００２８】
従って、刷版Ｐを二枚巻きするときは、刷版Ｐの幅方向（記録ドラム１１の軸芯方向）両側の端縁のうち、一方の端縁のみがクランプ溝３０上に突出することことになる。例えば、記録ドラム１１の左側の領域に装着可能な最大サイズの刷版Ｐ１３の一方の端縁はクランプ溝３０ｇ上に突出するが、他方の端縁はクランプ溝３０ａ上には配置されない。
【００２９】
この場合には、各クランプ溝３０の上部に配置される刷版Ｐのパターンは、以下の４パターンに分類することができる。
【００３０】
すなわち、第１パターンは、クランプ溝３０上に一枚巻きの刷版Ｐおよび二枚巻き刷版の両方の端縁が配置される場合である。この場合には、一枚巻き刷版Ｐは厚版の刷版Ｐに、二枚巻き刷版Ｐは薄版の刷版Ｐに概ね対応するから、このクランプ溝３０上には厚版および薄版の刷版Ｐの端縁が配置される。第２パターンは、クランプ溝３０上に一枚巻きの刷版Ｐの端縁のみが配置される場合である。この場合には、このクランプ溝３０上には、厚版の刷版Ｐの端縁が配置される。第３パターンは、クランプ溝３０の上に二枚巻きの刷版Ｐの端縁のみが配置される場合である。この場合には、クランプ溝３０上には、薄版の刷版Ｐの端縁が配置される。第４パターンは、クランプ溝３０上に刷版Ｐの端縁が配置されない場合である。
【００３１】
上述したクランプ溝３０ａ、３０ｂ、３０ｍ、３０ｎには第１パターンの状態で刷版Ｐが装着されることがある。また、クランプ溝３０ｃ、３０ｄ、３０ｋ、３０ｌには第２パターンの状態で刷版Ｐが装着されることがある。また、クランプ溝３０ｆ、３０ｉには第３パターンの状態で刷版Ｐが装着されることがある。さらに、クランプ溝３０ｅ、３０ｇ、３０ｈ、３０ｊには、刷版Ｐの端縁は配置されない。
【００３２】
このようにクランプ溝３０ａ、３０ｂ、３０ｍ、３０ｎ上には、厚版および薄版の刷版Ｐの端縁が配置されることがある。従って、これらのクランプ溝３０上に刷版Ｐの端縁が配置されたときには、それが厚版または薄版いずれの刷版Ｐであるかに応じて、後端クランプ１６による刷版Ｐの咥え代等を変更するようにしている。また、クランプ溝３０ｃ、３０ｄ、３０ｋ、３０ｌの上に重なる可能性のあるのは、一枚巻きの刷版Ｐの端縁のみであり、クランプ溝３０ｆ、３０ｉの上に重なる可能性のあるのは二枚巻きの刷版Ｐの端縁のみである。
【００３３】
次に、後端クランプ１６の構成について説明する。図４および図５は、後端クランプ１６の概要図である。なお、図４は後端クランプ１６を記録ドラム１１から取り外すときの状態を示し、図５は後端クランプ１６を記録ドラム１１に取り付けるときの状態を示している。また、各図において、（ａ）は上面図であり、（ｂ）は裏面図である。
【００３４】
これらの図に示すように、後端クランプ１６は、本体４１と、記録ドラム１１のクランプ溝３０に係合する一対のクランピングボルト４２と、クランピングボルト４２を作動させる駆動ブロック４３と有している。本体４１には、図１に示す後端クランプ取り付け部２４のおける保持ピンと係合する孔部４４が形成されている。
【００３５】
クランピングボルト４２の両端には、クランプ溝３０に係合するための突起部が形成されている。駆動ブロック４３は、後端クランプ取り付け部２４における作動ピンの駆動を受けてクランピングボルト４２を回動させることにより、クランピングボルト４２の突起部がクランプ溝３０の延伸方向と同―方向に向いた、図４に示すアンロック状態と、突起部がクランプ溝３０の延伸方向と直交する方向に向いた、図５に示すロック状態とを取らせるようにする。
【００３６】
図６は、後端クランプ１６を記録ドラム１１に対して固定する際の、クランピングボルト４２とクランプ溝３０との関係を示す模式図である。
【００３７】
最初に、図６（ａ）に示すように、後端クランプ１６を図１に示す後端クランプ取り付け部２４に保持させて状態で記録ドラム１１を回転させ、後端クランプ１６のクランピングボルト４２をクランプ溝３０上に配置させる。この状態においては、クランピングボルト４２は図４に示すアンロック状態となっている。
【００３８】
そして、この状態において、図６（ｂ）に示すように、後端クランプ取り付け部２４の作用により、クランピングボルト４２をクランプ溝３０内に進入させる。
【００３９】
しかる後、図６（ｃ）に示すように、クランピングボルト４２を回動させることにより、クランピングボルト４２の突起部がクランプ溝３０の延伸方向と直交する方向に向いたロック状態とする。これにより、後端クランプ１６は記録ドラム１１の表面に固定される。
【００４０】
後端クランプ１６の本体４１のドラム回転方向先端側端部の裏面には、刷版Ｐを記録ドラム１１の外周面に押圧固定するためのクランプゴム５１が接着剤等により固着されている。クランプゴム５１の形状は、その後端クランプ１６がどのクランプ溝３０に取り付けられるかによって異なっている。具体的には、図４（ｂ）および図５（ｂ）において円Ｅで示すクランプゴム５１のクランプ溝３０に対向する部分の形状が、後端クランプ１６によって異なるようになっている。
【００４１】
図７は一枚巻きおよび二枚巻きの刷版Ｐを固定するための後端クランプ１６のクランプゴム５１を示す説明図であり、図８は一枚巻きまたは二枚巻きの刷版Ｐを固定するための後端クランプ１６のクランプゴム５１を示す説明図である。
【００４２】
上述したようにクランプ溝３０ａ、３０ｂ、３０ｍ、３０ｎ上には、厚版および薄版の刷版Ｐの端縁が配置されることがある。一方、クランプ溝３０ｃ、３０ｄ、３０ｋ、３０ｌの上に重なる可能性のあるのは、一枚巻きの刷版Ｐの端縁のみであり、クランプ溝３０ｆ、３０ｉの上に重なる可能性のあるのは二枚巻きの刷版Ｐの端縁のみである。
【００４３】
このため、クランプ溝３０ａ、３０ｂ、３０ｍ、３０ｎと対向配置される後端クランプ１６は、図７に示すクランプゴム５１を使用し、クランプ溝３０上における刷版Ｐと後端クランプ１６のクランプゴム５１との接触面積等を変更するようにしている。また、クランプ溝３０ｃ、３０ｄ、３０ｋ、３０ｌと対向配置される後端クランプ１６とクランプ溝３０ｆ、３０ｉと対向配置される後端クランプ１６とは、図８に示すクランプゴム５１を使用し、両者でその咥え位置を、記録ドラム１１の軸芯方向に異ならせるようにしている。
【００４４】
すなわち、クランプ溝３０ａ、３０ｂ、３０ｍ、３０ｎと対向配置される後端クランプ１６におけるクランプゴム５１は、図７に示すように、クランプ溝３０の上方に突出する一対の突出部５１ａ、５１ｂを有している。そして、剛性の高い厚版の刷版Ｐを使用する場合には、図７（ａ）に示すように、後端クランプ１６を、そのクランプゴム５１の一端が刷版Ｐの後端よりわずかに離隔した位置に配置することにより、後端クランプ１６のクランプゴム５１による咥え代を大きく設定する。この場合には、クランプ溝３０上においては刷版Ｐはクランプゴム５１の突出部５１ａ、５１ｂの両方と接触しており、クランプ溝３０上における刷版Ｐと後端クランプ１６のクランプゴム５１との接触面積が大きくなっている。
【００４５】
一方、クランプ溝３０ａ、３０ｂ、３０ｍ、３０ｎと対向配置される後端クランプ１６に対して、剛性の低い薄版の刷版Ｐを使用する場合には、図７（ｂ）に示すように、後端クランプ１６を、そのクランプゴム５１の略中央部が刷版Ｐの後端と一致する位置に配置することにより、後端クランプ１６のクランプゴム５１による咥え代を小さく設定する。この場合には、クランプ溝３０上においては刷版Ｐはクランプゴム５１の突出部５１ａとのみ接触しており、クランプ溝３０上における刷版Ｐと後端クランプ１６のクランプゴム５１との接触面積は小さくなっている。
【００４６】
これに対して、クランプ溝３０ｃ、３０ｄ、３０ｋ、３０ｌと対向配置される後端クランプ１６は、剛性の高い厚版の刷版Ｐの固定に使用される。この場合には、図８（ａ）に示すように、突出部５１ｃを有するクランプゴム５１を利用する。このクランプゴム５１は、突出部５１ｃの全域がクランプ溝３０の上部に配置されるように、記録ドラム１１の軸芯方向の咥え位置が設定されている。そして、図８（ａ）に示すように、後端クランプ１６を、そのクランプゴム５１の一端が刷版Ｐの後端よりわずかに離隔した位置に配置することにより、後端クランプ１６のクランプゴム５１による咥え代を大きく設定する。
【００４７】
また、クランプ溝３０ｆ、３０ｉと対向配置される後端クランプ１６は、剛性の低い薄版の刷版Ｐの固定に使用される。この場合には、図８（ｂ）に示すように、突出部５１ｃを有するクランプゴム５１を利用する。このクランプゴム５１は、突出部５１ｃの一部のみがクランプ溝３０の上部に配置されるように、記録ドラム１１の軸芯方向の咥え位置が設定されている。さらに、図８（ｂ）に示すように、後端クランプ１６を、そのクランプゴム５１の略中央部が刷版Ｐの先端と一致する位置に配置することにより、後端クランプ１６のクランプゴム５１による咥え代を小さく設定する。
【００４８】
なお、上述したように、図７に示すクランピングゴム５１は、一対の突出部５１ａ、５１ｂが、記録ドラム１１の円周方向に所定距離だけ離隔して配置されている。これにより、薄版の刷版Ｐを使用するときに、記録ドラム１１の停止位置に誤差があった場合でも、刷版Ｐの端縁が突出部５１ａと突出部５１ｂとの間に配置されさえすれば、クランプ溝３０上における刷版Ｐとクランプゴム５１との接触面積を一定とすることができる。このため、後端クランプ１６の装着位置に多少の誤差があったとしても、クランプ溝３０上における刷版Ｐとクランプゴム５１との接触面積を一定とすることが可能となる。
【００４９】
次に、上述した画像記録装置おいて、刷版Ｐを記録ドラム１１に装着する刷版Ｐの装着動作について説明する。図９は、刷版Ｐの装着動作を示すフローチャートである。
【００５０】
最初に、刷版Ｐの情報を入力する（ステップＳ１）。この刷版Ｐの情報は、刷版Ｐのサイズと、この刷版Ｐが厚版であるか薄版であるかの情報である。この情報は、図１に示す入力部２１より入力される。
【００５１】
次に、図１に示す制御部２０が後端クランプ１６の位置を読み出す（ステップＳ２）。
【００５２】
図１０は、このクランプ位置の読み出し動作を示すフローチャートである。
【００５３】
クランプ位置を読み出すときには、最初に、刷版Ｐのサイズに対応したクランプ位置ｒを設定する（ステップＳ２１）。このクランプ位置ｒは、厚版の刷版Ｐに対応した位置であり、刷版Ｐを大きな咥え代で咥えることができる位置である。このクランプ位置ｒは、所定の基準位置からの記録ドラム１１円周方向についての距離であらわされる位置であり、例えば、先端クランプ１５から記録ドラム１１の外周面に沿って図１における反時計方向に測定した長さで表される。あるいはクランプ位置ｒは図１における記録ドラム１１の反時計方向を正とする記録ドラム１１の回転角度位置で表される。このクランプ位置ｒは、図１に示すテーブル２２に予め記憶されている。
【００５４】
次に、装着を行うべき刷版Ｐが薄版であるか否かを判断する（ステップＳ２２）。そして、刷版Ｐが薄版ではなく厚版である場合は、そのままこのサブルーチンを終了する。一方、装着を行うべき刷版Ｐが薄板である場合には、ｒに補正量αを加算し、クランプ位置を記録ドラム１１の反時計方向に補正量αだけずらして刷版Ｐを小さな咥え代で咥える位置に変更する（ステップＳ２３）。
【００５５】
再度、図９を参照して、次に、図１に示す搬送ユニット１３の搬送路１９から刷版Ｐを送り出し、パンチユニット１４により位置決め孔を穿孔し（ステップＳ３）、穿孔後の刷版Ｐを記録ドラムに向けて供給する（ステップＳ４）。
【００５６】
刷版Ｐの先端が記録ドラム１１における先端クランプ１５の位置に到達したら、クランプユニット１７における先端クランプ押圧部２３の作用により先端クランプ１５を開閉し、刷版Ｐの先端を記録ドラム１１に固定する。そして、モータ２５の作用により記録ドラム１１を回転し、刷版Ｐの全長を記録ドラム１１の外周面に装着していく（ステップＳ６）。このときの記録ドラム１１の回転角度位置は、ロータリエンコーダ２６により、常に監視されている。
【００５７】
そして、記録ドラム１１が、後端クランプ１６が予め設定した咥え代で刷版Ｐの後端を咥えることができる回転角度位置まで回転したら、記録ドラム１１の回転を停止する（ステップＳ７）。そして、クランプユニット１７における後端クランプ取り付け部２４の作用により、後端クランプ１６を記録ドラム１１に取り付けることにより、刷版Ｐの後端を記録ドラム１１に取り付ける（ステップＳ８）。
【００５８】
このときには、記録ドラム１１の外周面に装着された刷版Ｐが厚版の場合には、クランプ溝３０ａ、３０ｂ、３０ｍ、３０ｎと対向配置される後端クランプ１６のクランプゴム５１は、図７（ａ）に示す状態で刷版を押圧し、クランプ溝３０ｃ、３０ｄ、３０ｋ、３０ｌと対向配置される後端クランプ１６のクランプゴム５１は、図８（ａ）に示す状態で刷版Ｐを押圧する。
【００５９】
一方、記録ドラム１１の外周面に装着された刷版Ｐが薄版の場合には、クランプ溝３０ａ、３０ｂ、３０ｍ、３０ｎと対向配置される後端クランプ１６のクランプゴム５１は、図７（ｂ）に示す状態で刷版を押圧し、クランプ溝３０ｆ、３０ｉと対向配置される後端クランプ１６のクランプゴム５１は、図８（ｂ）に示す状態で刷版Ｐを押圧する。
【００６０】
次に、この発明の他の実施形態について説明する。図１１は、他の実施形態に係るクランプ位置の読み出し動作を示すフローチャートである。
【００６１】
上述した実施形態においては、刷版Ｐが厚版である場合には、刷版Ｐの剛性により押圧力が不足することから、後端クランプ１６による咥え代を大きくしている。これに対して、この実施形態においては、クランプ溝３０上に突出した刷版Ｐの長さが大きいときに、刷版Ｐの反り返り等を防止するため、後端クランプ１６による咥え代を大きくしている。
【００６２】
なお、この実施形態においては、図９に示す刷版の装着動作のうち、クランプ位置読み出し工程（ステップＳ２）のみが上述した第１実施形態と異なっている。
【００６３】
図１１に示すように、この実施形態においてクランプ位置を読み出すときには、最初に、刷版Ｐのサイズに対応したクランプ位置ｒを設定する（ステップＳ２４）。このクランプ位置ｒは、クランプ溝３０上に突出した刷版Ｐの長さが比較的小さい場合に対応した位置であり、刷版Ｐを小さな咥え代で咥えることができる位置である。このクランプ位置ｒは、図１に示すテーブル２２に予め記憶されている。
【００６４】
次に、クランプ溝３０上に突出した刷版Ｐの長さがしきい値以上であるか否かを判断する（ステップＳ２５）。このしきい値は、記録ドラム１１の外周面に装着すべき刷版Ｐが厚版であるか薄版であるかにより、予め異なる値が設定されている。このしきい値は、図１に示すテーブル２２に予め記憶されている。
【００６５】
そして、クランプ溝３０上に突出した刷版Ｐの長さがしきい値以上である場合には、ｒから補正量βを減算し、クランプ位置を記録ドラム１１の時計方向に補正量βだけずらして刷版Ｐを大きな咥え代で咥える位置に変更する（ステップＳ２６）。
【００６６】
なお、上述した実施形態においては、いずれも、記録ドラム１１への後端クランプ１６の装着位置、すなわち、後端クランプ１６による刷版Ｐの咥え位置を変更することで、後端クランプ１６による刷版Ｐの咥え代を変更しているが、これに替えて、刷版Ｐの剛性や横幅サイズ、クランプ溝３０への刷版Ｐ側端の突出長さ等に応じて刷版Ｐの装着位置を記録ドラム１１の円周方向にずらすことで、刷版Ｐの後端と後端クランプ１６との相対的な位置関係を変更してもよい。たとえば、記録ドラム１１の外周面に立設された位置決めピンに嵌合させる位置決め孔の穿孔位置や位置決め孔のふところ寸法の大きさを記録ドラム１１の円周方向について変更すれば、後端クランプ１６の取付位置を変更せずとも刷版Ｐの後端と後端クランプ１６との相対的な位置関係が変更され刷版Ｐのくわえ代が調整できる。
【００６７】
また、上述した実施形態においては、記録ドラム１１に装着すべき刷版Ｐが厚版であるか薄版であるか、または、クランプ溝３０上に突出した刷版Ｐの長さが大きいか小さいかにより、咥え代の大きさを変更しているが、これらの両方を考慮して咥え代を変更するようにしてもよい。
【図面の簡単な説明】
【００６８】
【図１】この発明に係る画像記録装置の側面概要図である。
【図２】記録ドラム１１を、先端クランプ１５および後端クランプ１６とともに示す斜視図である。
【図３】記録ドラム１１の外周面の展開図である。
【図４】後端クランプ１６の概要図である。
【図５】後端クランプ１６の概要図である。
【図６】クランピングボルト４２とクランプ溝３０との関係を示す模式図である。
【図７】一枚巻きおよび二枚巻きの刷版Ｐを固定するための後端クランプ１６のクランプゴム５１を示す説明図である。
【図８】一枚巻きまたは二枚巻きの刷版Ｐを固定するための後端クランプ１６のクランプゴム５１を示す説明図である。
【図９】刷版Ｐの装着動作を示すフローチャートである。
【図１０】クランプ位置の読み出し動作を示すフローチャートである。
【図１１】クランプ位置の読み出し動作を示すフローチャートである。
【符号の説明】
【００６９】
１１    記録ドラム
１２    記録ヘッド
１３    搬送ユニット
１４    パンチユニット
１５    先端クランプ
１６    後端クランプ
１７    クランプユニット
２０    制御部
２１    入力部
２２    テーブル
２５    モータ
２６    ロータリエンコーダ
３０    クランプ溝
４１    本体
４２    クランピングボルト
４３    駆動ブロック
４４    孔部
５１    クランピングゴム
Ｐ      刷版
【図１】
0004666509.tif 000002
【図２】
0004666509.tif 000003
【図３】
0004666509.tif 000004
【図４】
0004666509.tif 000005
【図５】
0004666509.tif 000006
【図６】
0004666509.tif 000007
【図７】
0004666509.tif 000008
【図８】
0004666509.tif 000009
【図９】
0004666509.tif 000010
【図１０】
0004666509.tif 000011
【図１１】
0004666509.tif 000012